(57)【特許請求の範囲】
【請求項１】
コンピュータにより室内の透視図を静止画像でディスプレー上に表示するインテリアシミュレーションシステムであって、
該インテリアシミュレーションシステムを、コンピュータと、ディスプレーで構成し、
上記コンピュータに、
室内のインテリアを複数の異なるスタイルに区分けすると共にスタイルにより区分けされたそれぞれの室内をあらかじめ決められた複数の異なる視点位置・観察方向から見た静止画像データを蓄積した静止画ファイルと、
上記ディスプレー上において表示する透視図の静止画像の視点位置・観察方向を変更する視点位置・観察方向変更処理手段と、
上記ディスプレー上において表示する透視図の視点位置・観察方向の変数を保持しつつスタイルを変更するスタイル変更処理手段とを
備えて成ることを特徴とするインテリアシミュレーションシステム。
【請求項２】
インターネットやイントラネットのようなネットワークを介してサーバーにより室内の透視図を静止画像で端末装置のディスプレー上に表示するインテリアシミュレーションシステムであって、
該インテリアシミュレーションシステムを、サーバーと、ネットワークと、ディスプレーを備えた端末装置で構成し、
上記サーバーに、
室内のインテリアを複数の異なるスタイルに区分けすると共にスタイルにより区分けされたそれぞれの室内をあらかじめ決められた複数の異なる視点位置・観察方向から見た静止画像データを蓄積した静止画ファイルと、
上記端末装置のディスプレー上において表示する透視図の静止画像の視点位置・観察方向を変更する視点位置・観察方向変更処理手段と、
上記ディスプレー上において表示する透視図の視点位置・観察方向の変数を保持しつつスタイルを変更するスタイル変更処理手段とを
備えて成ることを特徴とするインテリアシミュレーションシステム。
【発明の詳細な説明】
【０００１】
【発明の属する技術分野】
本発明は、インテリアシミュレーションシステムに関するものである。
【０００２】
【従来の技術】
新築、改築、模様替え等において建物の室内のインテリアを統一して行うことがなされている。
【０００３】
室内のインテリアを統一するためのスタイルとしては複数のスタイルがある。例えば、トラディショナル調に統一したり、あるいはナチュラル調に統一したり、あるいはモダンナチュラル調に統一したり、あるいはモダン調に統一したりというように複数の異なるインテリアスタイルがあり、上記複数の異なるインテリアスタイルのうちの好みによりいずれかのインテリアスタイルを選んで、選択したインテリアスタイルで室内のインテリアを統一するのである。
【０００４】
ところが、新築、改築、模様替え等において建物の室内のインテリアを統一して行おうとする人にとって、例えば、壁の柄や色、床の柄や色、天井の柄や色、システムキッチンの柄や色及び形状や大きさ、食卓の柄や色及び形状や大きさ、ソファーの柄や色及び形状や大きさ………という個々のインテリア要素の色や柄（あるいは色や柄及び形状や大きさ）はわかっても、室内にこれら個々のインテリア要素を設置した場合における室内全体の具体的なインテリアのイメージが判らないという問題がある。特に、室内を異なる視点位置・観察方向で見たそれぞれの場合における室内全体のインテリアのイメージが判らず、実際に工事をおこなった場合、想像していたイメージと異なるという問題がある。
【０００５】
そこで、従来にあっては、異なるスタイル毎にそれぞれ室内を異なる視点位置・観察方向で撮影した写真を撮影したもの、あるいは写真を用いた冊子を用意し、顧客はこれらの写真や冊子を見ることで新築、改築、模様替え等において建物の室内のインテリアを選択する際の参考にしている。
【０００６】
ところが、上記のような従来例にあっては、写真の数や冊子のページ数が多くありすぎて好みのものを探す作業が繁雑であり、特に、同一視点位置・観察方向で見た異なるスタイルの写真や冊子のページを探して比較しようとする場合、探すのが大変であるという問題がある。
【０００７】
更に、視点位置・観察方向を自由に変えて室内全体のインテリアのイメージを見ることができないという問題がある。
【０００８】
【発明が解決しようとする課題】
本発明は上記の点に鑑みてなされたものであり、ディスプレー上で透視図のスタイルを自由に変更し且つ各スタイル毎に視点位置・観察方向を選んで透視図の静止画像を見て、簡単に室内全体の透視図ができるインテリアシミュレーションシステムを提供することを課題とするものである。
【０００９】
【課題を解決するための手段】
上記課題を解決するために本発明に係るインテリアシミュレーションシステムは、コンピュータ１により室内の透視図を静止画像３でディスプレー２上に表示するインテリアシミュレーションシステムであって、該インテリアシミュレーションシステムを、コンピュータ１と、ディスプレー２で構成し、上記コンピュータ１に、室内のインテリアを複数の異なるスタイルに区分けすると共にスタイルにより区分けされたそれぞれの室内をあらかじめ決められた複数の異なる視点位置・観察方向から見た静止画像データを蓄積した静止画ファイル４と、上記ディスプレー２上において表示する透視図の静止画像３の視点位置・観察方向を変更する視点位置・観察方向変更処理手段５と、上記ディスプレー２上において表示する透視図の視点位置・観察方向の変数を保持しつつスタイルを変更するスタイル変更処理手段６とを備えて成ることを特徴とするものである。このような構成とすることで、ディスプレー２上で透視図のスタイルを自由に変更し且つ各スタイル毎に視点位置・観察方向を選んで透視図の静止画像３を見て、好みのインテリアスタイルを見つけることができるものである。特に、透視図の視点位置・観察方向の変数を保持しつつ透視図のスタイルを変更して、同一の視点位置・観察方向から見た静止画像３を異なるスタイル毎に切り替えてディスプレー２上に表示させて見たり、あるいは、同一スタイルにおいて異なる視点位置・観察方向から見た静止画像を次々と切り替えてディスプレー２上に表示して見ることができるものである。
【００１０】
また、インターネットやイントラネットのようなネットワーク１０を介してサ−バー１により室内の透視図を静止画像３で端末装置７のディスプレー２上に表示するインテリアシミュレーションシステムであって、該インテリアシミュレーションシステムを、サーバー１と、ネットワーク１０と、ディスプレー２を備えた端末装置７で構成し、上記サーバー１に、室内のインテリアを複数の異なるスタイルに区分けすると共にスタイルにより区分けされたそれぞれの室内をあらかじめ決められた複数の異なる視点位置・観察方向から見た静止画像データを蓄積した静止画ファイル４と、上記端末装置７のディスプレー２上において表示する透視図の静止画像３の視点位置・観察方向を変更する視点位置・観察方向変更処理手段５と、上記ディスプレー２上において表示する透視図の視点位置・観察方向の変数を保持しつつスタイルを変更するスタイル変更処理手段６とを備えて成ることを特徴とするものであってもよい。このような構成とすることで、端末装置７からネットワーク１０を介してサーバー１にアクセスすることで、端末装置７のディスプレー２上で透視図のスタイルを自由に変更し且つ各スタイル毎に視点位置・観察方向を選んで透視図の静止画像３を見て、好みのインテリアスタイルを見つけることができるものである。特に、透視図の視点位置・観察方向の変数を保持しつつ透視図のスタイルを変更して、同一の視点位置・観察方向から見た静止画像３を異なるスタイル毎に切り替えてディスプレー２上に表示させて見たり、あるいは、同一スタイルにおいて異なる視点位置・観察方向から見た静止画像を次々と切り替えてディスプレー２上に表示して見ることができるものである。
【００１１】
【発明の実施の形態】
以下、本発明を添付図面に示す実施形態に基づいて説明する。
【００１２】
図１乃至図６には本発明の一実施形態が示してある。図１は本発明のインテリアシミュレーションシステムの概略を示すもので、端末装置７（端末コンピュータ）とコンピュータにより構成されるサーバー１との間で、サーバー１に蓄積されたデータをインターネットやイントラネットのようなネットワーク１０を介して端末装置７に伝達することができるように設定してある。
【００１３】
サーバー１にはネットワーク１０を介してサーバー１と端末装置７とを接続するための処理プログラム１２と、データを格納した記憶装置１３とが備えてある。記憶装置１３には端末装置７のディスプレー２上に表示するための文書を格納した文書ファイル１４と、後述する静止画像３のデータを格納した静止画ファイル４と、静止画ファイル４に格納されたデータを処理して端末装置７のディスプレー２上で静止画像３の処理を行うためのプログラムを有するプログラムファイル１６が格納してある。
【００１４】
静止画ファイル１５には、ある特定された室内のインテリアを複数の異なるインテリアスタイルに区分けすると共にインテリアスタイルにより区分けされたそれぞれの室内をあらかじめ決められた複数の異なる視点位置・観察方向から見た静止画像３のデータが蓄積してある。
【００１５】
すなわち、実施形態においてはある特定された室内として図２の平面図において符号１５で示すリビングダイニングルームの例が示してある。そして、室内の異なるインテリアのスタイルとして、例えば、改装前のスタイル、トラディショナル調に統一したスタイル、あるいはナチュラル調に統一したスタイル、あるいはモダンナチュラル調に統一したスタイル、あるいはモダン調に統一したスタイル……等に区分し、リビングダイニングルーム１５内を改装前のスタイル、トラディショナル調に統一したスタイル、あるいはナチュラル調に統一したスタイル、あるいはモダンナチュラル調に統一したスタイル、あるいはモダン調に統一したスタイルという各スタイル毎に、それぞれ図２の（１）で示す視点から楔型矢印で示す観察方向で見た静止画像、（２）で示す視点から楔型矢印で示す観察方向で見た静止画像、（３）で示す視点から楔型矢印で示す観察方向で見た静止画像、（４）で示す視点から楔型矢印で示す観察方向で見た静止画像、（５）で示す視点から楔型矢印で示す観察方向で見た静止画像、（６）で示す視点から楔型矢印で示す観察方向で見た静止画像、（７）で示す視点から楔型矢印で示す観察方向で見た静止画像を示すデータを静止画ファイル１５に蓄積してある。
【００１６】
下記の表１にはインテリアスタイルをＡ、Ｂ、Ｃ、Ｄ、Ｅに区分けし、視点位置・観察方向（これをアングルと称する）を１、２、３、４、５とした場合における静止画像３の組み合わせバリエーションを示すテーブルが示してある。
【００１７】
【表１】
0004396008.tif 000002
【００１８】
また、サーバー１に設けた記憶装置１３に格納したプログラムファイル１６は静止画ファイル４に格納されたデータを処理するためのプログラムを有するものであるが、静止画ファイル４に格納されたデータを処理する手段としては端末装置７のディスプレー２上において透視図の静止画像３を表示するに当たり、この表示する透視図の静止画像３の視点位置・観察方向を変更処理する視点位置・観察方向変更処理手段５と、ディスプレー２上において表示する透視図のスタイルを変更処理するスタイル変更処理手段６とが設けてある。
【００１９】
また、サーバー１にはインターネットやイントラネット上で運営される図４に示すような閲覧サイト１７が開設してあり、この閲覧サイト１７の静止画像閲覧ページ１７ａには視点位置・観察方向を変更して静止画像３を静止画像閲覧ページ１７ａに表示するための視点位置・観察方向変更釦１８、スタイルを変更して静止画像閲覧ページ１７ａに静止画像３を表示するためのスタイル変更釦１９（図４においては改装前釦１９ａ、トラディショナル釦１９ｂ、ナチュラル釦１９ｃ、ナチュラルモダン釦１９ｄ、モダン釦１９ｅ）、平面図を静止画像閲覧ページ１７ａに表示するための平面図表示用釦２５が表示される。視点位置・観察方向変更釦１８は進行用視点位置・観察方向変更釦１８ａと逆進用視点位置・観察方向変更釦１８ｂとがあり、進行用視点位置・観察方向変更釦１８ａを次々とクリックすると図２において……視点位置（１）→（２）→（３）→（４）→（５）→（６）→（７）→（１）→（２）……という正の順序で各楔型矢印で示す観察方向から見た静止画像３が表示されるようになっており、また、逆進用視点位置・観察方向変更釦１８ｂを次々とクリックすると図２において……視点位置（７）→（６）→（５）→（４）→（３）→（２）→（１）→（７）→（６）……という逆の順序で各楔型矢印で示す観察方向から見た静止画像３が表示される。
【００２０】
しかして、マンション、戸建て住宅等の建物を新築したり、改築したりする場合における室内のインテリアを統一しておこなったり、あるいは既存の建物の室内の模様替えのインテリアを統一して行おうとする人やアドバイスする人（以下これらの人を利用者と称する）は、端末コンピュータにより構成される端末装置８からインターネットやイントラネット等のネットワーク１０を介してサーバー１にアクセスし、端末装置８のディスプレー２上に図４に示すような静止画像閲覧ページ１７を表示する。
【００２１】
そして、ディスプレー２上に表示された静止画像閲覧ページ１７に表示してある視点位置・観察方向変更釦１８やスタイル変更釦１９をクリックすることで、静止画像閲覧ページ１７に目的とする視点位置・観察方向から見た目的とするスタイルの室内の静止画像が表示される。図５には本実施形態における端末装置８のディスプレー２上に表示される静止画像を切り替えるプログラムのフローチャートを示している。
【００２２】
ここで、例えば、スタイル変更釦１９のうち改装前釦１９ａをクリックすると、改装前のスタイル（実施形態においてはリビングダイニングルーム１５内の改装前のスタイル）が端末装置８のディスプレー２上に表示される。視点位置・観察方向変更釦１８のうち進行用視点位置・観察方向変更釦１８ａをクリックすると、……視点位置（１）→（２）→（３）→（４）→（５）→（６）→（７）→（１）→（２）……という正の順序で視点位置・観察方向を変更した改装前のスタイルの静止画像３が次々と端末装置８のディスプレー上に表示され、また、逆進用視点位置・観察方向変更釦１８ｂをクリックすると、……視点位置（７）→（６）→（５）→（４）→（３）→（２）→（１）→（７）→（６）……という逆の順序で視点位置・観察方向を変更した改装前のスタイルの静止画像３が次々と端末装置８のディスプレー上に表示されるので、視点位置・観察方向を正の順序又は逆の順序で次々と変更しながら改装前のスタイルの静止画像３を見て改装前の状態を確認することができる。
【００２３】
また、同様にして、スタイル変更釦１９のうちトラディショナル釦１９ｂやナチュラル釦１９ｃやナチュラルモダン釦１９ｄやモダン釦１９ｅを選択してクリックすると、それぞれディスプレー２上にトラディショナル調に統一したスタイルの静止画像３やナチュラル調に統一したスタイルの静止画像３やモダンナチュラル調に統一したスタイルの静止画像３やあるいはモダン調に統一したスタイルの静止画像３が表示される。この場合、いずれかのインテリアスタイルを設定した状態で上記正の順序又は逆の順序で視点位置・観察方向を変更した各インテリアスタイルの静止画像３をディスプレー２上に表示することができるものである。
【００２４】
このように、各インテリアスタイルにおける異なる視点位置・観察方向の静止画像３を次々とディスプレー２上に表示することで、ディスプレー２の画面を見ている利用者は、各インテリアスタイルにおける室内のインテリアコーディネートの状態を全体として認識することができるものである。図３（ａ）乃至（ｆ）には同一スタイルにおいて視点位置・観察方向を次々と変更して表示する静止画像３が示してある。
【００２５】
更に、フレームに視点位置・観察方向の変数を保持することにより、視点位置・観察方向を同じ状態としたまま、改装前釦１９ａやトラディショナル釦１９ｂやナチュラル釦１９ｃやナチュラルモダン釦１９ｄやモダン釦１９ｅを選択してクリックすることで、例えば、同一視点位置・観察方向において、改装前の静止画像３を表示し、その次に、ナチュラル調に統一したスタイルの静止画像３を表示するということができて、改装前のスタイルとナチュラル調に統一したスタイルとの同一視点位置・観察方向における比較が簡単にできるものであり、同様に、トラディショナル調に統一したスタイルとモダンナチュラル調に統一したスタイルとの同一視点位置・観察方向における比較等も簡単にできるものである。図６には同一視点位置・観察方向における、改装前の静止画像３、トラディショナル調で統一した静止画像３、ナチュラル調に統一したスタイルの静止画像３、モダンナチュラル調に統一した静止画像、モダン調に統一した静止画像３の例を示している。
【００２６】
なお、上記実施形態ではインターネットやイントラネットのようなネットワーク１０を介してサ−バー１により室内の透視図を静止画像３で端末装置７のディスプレー２上に表示するインテリアシミュレーションシステムにつき説明したが、インターネットやイントラネットのようなネットワーク１０に接続してないコンピュータ１により室内の透視図を静止画像３をディスプレー２上に表示するようにしてもよいものである。
【００２７】
【発明の効果】
上記のように本発明の請求項１記載の発明にあっては、コンピュータにより室内の透視図を静止画像でディスプレー上に表示するインテリアシミュレーションシステムであって、室内のインテリアを複数の異なるスタイルに区分けすると共にスタイルにより区分けされたそれぞれの室内をあらかじめ決められた複数の異なる視点位置・観察方向から見た静止画像データを蓄積した静止画ファイルをコンピュータに備え、ディスプレー上において表示する透視図の静止画像の視点位置・観察方向を変更する視点位置・観察方向変更処理手段と、ディスプレー上において表示する透視図のスタイルを視点位置・観察方向の変数を保持しつつ変更するスタイル変更処理手段とをコンピュータに備えているので、ディスプレー上で透視図のスタイルを自由に変更し且つ各スタイル毎に視点位置・観察方向を選んで透視図の静止画像を見ることができるものである。
【００２８】
また、請求項２記載の発明にあっては、インターネットやイントラネットのようなネットワークを介してサーバーにより室内の透視図を静止画像で端末装置のディスプレー上に表示するインテリアシミュレーションシステムであって、室内のインテリアを複数の異なるスタイルに区分けすると共にスタイルにより区分けされたそれぞれの室内をあらかじめ決められた複数の異なる視点位置・観察方向から見た静止画像データを蓄積した静止画ファイルをサーバーに備え、サーバーに端末装置のディスプレー上において表示する透視図の静止画像の視点位置・観察方向を変更する視点位置・観察方向変更処理手段と、ディスプレー上において表示する透視図のスタイルを視点位置・観察方向の変数を保持しつつ変更するスタイル変更処理手段とを備えて成ることを特徴とするので、利用者はネットワークを介して端末装置のディスプレー上で透視図のスタイルを自由に変更し且つ各スタイル毎に視点位置・観察方向を選んで透視図の静止画像を見ることができるものである。
【図面の簡単な説明】
【図１】  本発明の一実施形態の概略構成図である。
【図２】  同上のマンションの平面図である。
【図３】  （ａ）乃至（ｇ）は同上の任意のスタイルにおいて視点、観察方向を変更して見た静止画像を示す説明図である。
【図４】  同上の静止画像閲覧ページを示す説明図である。
【図５】  同上のフローチャートである。
【図６】  同上の同じ視点、観察方向における異なるスタイルの静止画像である。
【符号の説明】
１  コンピュータ（サーバー）
２  ディスプレー
３  静止画像
４  静止画ファイル
５  視点位置・観察方向変更処理手段
６  スタイル変更処理手段
７  端末装置
１０  ネットワーク
【図１】
0004396008.tif 000003
【図２】
0004396008.tif 000004
【図３】
0004396008.tif 000005
【図４】
0004396008.tif 000006
【図５】
0004396008.tif 000007
【図６】
0004396008.tif 000008